(57)【要約】【課題】  放射光に対する対象物のずれによる誤測距を防止する。【解決手段】  リードフレーム１１に搭載された発光チップ１２を含む発光部に、窓１７を設けた遮光樹脂１６で成る遮光部を設けて、リードフレーム１１からの反射光による放射光の広がり部分を遮光する。こうすることにより、本来は放射光の中央部に在るべき対象物が、発光チップ１２と受光チップ１３との配列方向への位置ずれを起こして放射光の部分から外れたとしても、上記放射光の広がり部分は遮光されて存在しないため、上記放射光の広がり部分での上記対象物からの反射光が受光チップ１３に入射することがない。こうして、放射光に対する対象物の位置ずれによる誤測距を防止する。【選択図】図１
2006153730.tif 000002
【特許請求の範囲】
【請求項１】
光を放射する発光素子と、この発光素子からの放射光を集光して所定方向に投光する発光側レンズとを含む発光系と、
上記発光側レンズからの放射光が測距の対象物で反射された反射光を集光する受光側レンズと、この受光側レンズによって集光された上記反射光を受光する受光素子とを含む受光系と、
上記受光素子からの出力信号に基づいて、三角測距原理によって上記対象物までの距離を算出する距離算出部と、
を備えた測距センサであって、
上記発光系で生じる迷光のうち、少なくとも上記発光側レンズから投光される放射光が反受光素子側にずれる迷光を遮光する遮光部を上記発光素子と上記発光側レンズの間に備えたことを特徴とする測距センサ。
【請求項２】
請求項１に記載の測距センサにおいて、
上記遮光部は、
上記発光素子と上記発光側レンズとの間に配設された遮光部材と、
上記遮光部材における上記発光素子との対向部に設けられると共に、上記発光素子からの放射光を上記発光側レンズに導く窓と
を含むことを特徴とする測距センサ。
【請求項３】
請求項２に記載の測距センサにおいて、
上記窓は、上記発光素子の発光点と上記発光側レンズの中心とを通る中心軸を有する筒形を成していることを特徴とする測距センサ。
【請求項４】
請求項２に記載の測距センサにおいて、
上記窓は、上記発光素子の発光点と上記発光側レンズの中心とを通る中心軸を有すると共に、上記中心軸と上記受光素子の中心とを含む平面に関して、上記中心軸から上記受光素子側の壁面までの距離が上記中心軸から反受光素子側の壁面までの距離よりも短い非対称形の断面形状を有していることを特徴とする測距センサ。
【請求項５】
請求項２に記載の測距センサにおいて、
上記窓は、上記発光素子の発光点と上記発光側レンズの中心とを通る中心軸を有すると共に、上記発光素子側から上記発光側レンズ側に向かって開いた漏斗状の形状を有していることを特徴とする測距センサ。
【請求項６】
請求項２に記載の測距センサにおいて、
上記窓は、上記発光素子の発光点と上記発光側レンズの中心とを通る中心軸を有すると共に、少なくとも上記発光素子側に位置する小径部と上記発光側レンズ側に位置する大径部とを有する複数段の筒形を成していることを特徴とする測距センサ。
【請求項７】
請求項２に記載の測距センサにおいて、
上記窓は、
上記発光素子の発光点と上記発光側レンズの中心を通る中心軸を有する筒形の穴部と、
上記穴部の内壁面における上記発光素子側の縁に設けられて、上記中心軸と上記受光素子の中心とを含む平面に対して直交すると共に上記中心軸を含む平面に関して、上記受光素子側を部分的に遮光する遮光板と
を含むことを特徴とする測距センサ。
【請求項８】
請求項１に記載の測距センサにおいて、
上記発光側レンズの反発光素子側における上記放射光の広がり部分を遮光できる領域に配設された遮光部材を設けたことを特徴とする測距センサ。
【請求項９】
請求項８に記載の測距センサにおいて、
上記遮光部材は、上記発光素子の発光点および上記発光側レンズの中心を通る光軸と上記受光素子の中心とを含む平面に対して直交すると共に上記光軸を含む平面に関して、反受光素子側にのみ配設されていることを特徴とする測距センサ。
【請求項１０】
請求項８に記載の測距センサにおいて、
上記発光側レンズの反発光素子側に配設されたフィルターと、
上記フィルターを上記発光素子側から保持するフィルター保持部材と
を有し、
上記遮光部材は、上記フィルター保持部材に一端が取り付けられると共に、上記フィルターの内側に沿って延在していることを特徴とする測距センサ。
【請求項１１】
請求項９に記載の測距センサにおいて、
上記発光素子と上記発光側レンズとの間に配設された遮光部材と、この遮光部材における上記発光素子との対向部に設けられると共に、上記発光素子からの放射光を上記発光側レンズに導く窓とを含む遮光部を、さらに備えていることを特徴とする測距センサ。
【請求項１２】
請求項１に記載の測距センサを搭載したことを特徴とする機器。
【発明の詳細な説明】
【技術分野】
【０００１】
この発明は、人体を検出する場合等に使用される測距センサおよびそれを搭載した機器に関する。
【背景技術】
【０００２】
従来より、光を用いて対象物を検出するセンサの一例として、特開平９‐３１８３１５号公報(特許文献１)に開示された光学式変位測定装置や、特開平１０‐１３２５５９号公報(特許文献２)に開示された測距センサや、特開２０００‐３１０５０８号公報(特許文献３)に開示された測距センサがある。
【０００３】
上記特許文献１に開示された光学式変位測定装置は、光ビームを発生する投光源と、上記光ビームを測定物体に照射する投光光学系と、上記光ビームの測定物体からの反射光を集光する受光光学系と、上記受光光学系の結像面に配置されて受光スポットの位置を検出する位置検出素子とを備えて、三角測距原理によって測距を行う光学式変位測定装置において、上記測定物における所定の位置に照射されたビームの拡散光を上記受光光学系に集光してできる光は通過させ、それ以外の光が上記受光光学系に入らないようにする遮光体を、上記受光素子上に設けたものである。
【０００４】
また、上記特許文献２に開示された測距センサは、発光素子および発光側レンズからなる発光部と受光素子および受光側レンズからなる受光部とを同一面に具備したセンサ本体上に、上記発光部と受光部との間に配置されて上記センサ本体からこのセンサ本体の前方に配置されたフィルターまでの間を遮断する遮光板を備えている。そして、上記フィルターで反射された反射光は、上記遮光板で遮られて上記受光部に入射されないようになっている。
【０００５】
また、上記特許文献３に開示された測距センサは、発光素子および発光側レンズからなる発光部と受光素子および受光側レンズからなる受光部とを同一面に具備すると共に、三角測距原理に従って、対象物が所定の位置に配置されていることを検出する。そして、上記発光側レンズの周辺部に、放射光の指向角を狭めることによって上記発光部と対象物との間の非検出物に放射光が照射されることを防止する遮光板を配置している。
【０００６】
ところで、図７に示すように、上記投光源や上記発光素子を構成する発光チップ１が発光する際に、上記発光チップ１の側面も発光する。そのために、発光チップ１が搭載されたリードフレーム２に発光チップ１からの光が反射して迷光となり、上記投光源や発光素子の発光範囲が広がることになり、発光チップ１との対向部に配置された発光側レンズ３から投光される放射光の範囲も広がることになる。
【０００７】
このように、上記迷光に起因して発光側レンズ３からの放射光が広がり、この放射光の広がり部分５にのみ対象物６が在った場合には、広がった放射光が対象物６で反射されることになる。特に、対象物６が反受光素子８側に存在している場合には、放射光の広がり部分５に在る対象物６からの反射光が受光側レンズ７を通って受光素子８に入射する位置９と、放射光の中央部４における対象物６と同距離の位置に対象物６'が在ると仮定した場合に対象物６'からの反射光が受光側レンズ７を通って受光素子８に入射する位置９'とは、異なることになる。したがって、両対象物６,６'が同距離に在っても、測距センサからの放射光が当たる位置が相違することによって反射光の重心がずれ、結果的に測距センサの出力値が異なることになる。
【０００８】
詳述すれば、上記両対象物６,６'が同距離に在るとしても、対象物６'が測距センサからの放射光の中央部４に在る場合と、上記対象物６'の位置が反受光素子８側にずれて放射光の中央部４には対象物６'が無いのに放射光の広がり部分５には対象物６が在る場合とで、放射光の広がり部分５に在る対象物６からの反射光の入射位置９は中央部４における対象物６よりも距離が短い位置に在る対象物６''からの反射光の入射位置９に等しくなる。そのために、三角測距原理によって対象物６までの距離を計測する場合に、両対象物６,６'は測距センサから同距離に在るにも拘わらず反射光の入射位置９,９'が異なることによって、対象物６'までの距離とは異なる距離、即ち対象物６があたかも対象物６'に存在している距離の出力が生じる。その結果、誤測距になるという問題がある。
【０００９】
尚、上記対象物６'の位置が受光素子８側にずれて、放射光の中央部４には対象物６'が無いのに拘わらず放射光の広がり部分５'には対象物６'''が在る場合には、放射光の広がり部分５'に在る対象物６'''からの反射光の入射位置９''は受光素子８の検出領域から外れるために、対象物６'''は検出されないのである。
【００１０】
しかしながら、上記特許文献１に開示された光学式変位測定装置の場合には、上記受光素子側に遮光板を設けるものの、上述したような測定物の位置による反射光の違いを区別することはできない。そのために、上述の問題を解決することができないのである。
【００１１】
また、上記特許文献２に開示された測距センサの場合には、上記発光部と受光部との近傍に設けられたフィルター等からの鏡面反射光が上記受光部に入射されないようにすることはできる。しかしながら、上記特許文献１に開示された光学式変位測定装置の場合と同様に、上述の問題を解決することはできない。
【００１２】
また、上記特許文献３に開示された測距センサの場合には、放射光の広がりを抑えて、測距センサ近傍に在る被対象物に対しては効果を奏することができる。ところが、検出の対象となる対象物の放射光中心からのずれに対しては、以下のような問題がある。すなわち、測距センサの上記発光側レンズ前面で遮光する場合、例えば、発光チップの中心から０.５mmずれているフレーム上が光って発光源になる場合、上記発光側レンズの焦点位置が５mmであり、レンズ径が半径３mmである場合には、レンズ前面に必要な上記フレーム上の発光源からの光を遮光する遮光板の高さは最低３０mmが必要になる。そのため、測距センサ自体が大きくなってしまう。
【特許文献１】特開平９‐３１８３１５号公報
【特許文献２】特開平１０‐１３２５５９号公報
【特許文献３】特開２０００‐３１０５０８号公報
【発明の開示】
【発明が解決しようとする課題】
【００１３】
そこで、この発明の課題は、測距センサを大きくせずに迷光に起因する放射光によって生じる誤測距を防止できる測距センサおよびそれを搭載した機器を提供することにある。
【課題を解決するための手段】
【００１４】
上記課題を解決するため、この発明の測距センサは、
光を放射する発光素子と、この発光素子からの放射光を集光して所定方向に投光する発光側レンズとを含む発光系と、
上記発光側レンズからの放射光が測距の対象物で反射された反射光を集光する受光側レンズと、この受光側レンズによって集光された上記反射光を受光する受光素子とを含む受光系と、
上記受光素子からの出力信号に基づいて、三角測距原理によって上記対象物までの距離を算出する距離算出部と、
を備えた測距センサであって、
上記発光系で生じる迷光のうち、少なくとも上記発光側レンズから投光される放射光が反受光素子側にずれる迷光を遮光する遮光部を上記発光素子と上記発光側レンズの間に備えたことを特徴としている。
【００１５】
上記構成によれば、上記遮光部によって、上記発光系内で発生した迷光に基づく上記発光側レンズからの放射光のうち少なくとも反受光素子側にずれる広がりが遮光される。したがって、本来は上記発光側レンズからの放射光の中央部に在るべき測距の対象物が、上記発光素子と上記発光側レンズとの配列方向に位置ずれを起したとしても、上記発光側レンズからの放射光の広がり部分が無いために、上記位置ずれに起因する誤測距が防止される。また、遮光部を発光素子から発光側レンズ間の発光側光学系に設けることによって、測距センサ事態が大型化することが無い。
【００１６】
また、１実施の形態の測距センサでは、
上記遮光部は、
上記発光素子と上記発光側レンズとの間に配設された遮光部材と、
上記遮光部材における上記発光素子との対向部に設けられると共に、上記発光素子からの放射光を上記発光側レンズに導く窓と
を含んでいる。
【００１７】
この実施の形態によれば、上記発光素子と上記発光側レンズとの間に配設された遮光部材に窓を開けるといった極めて簡単な構造で、特に、上記発光素子の側面から放射されて上記発光素子が載置されているリードフレームの表面で反射された光に基づく上記発光側レンズからの放射光の広がりが、効果的に遮光される。
【００１８】
また、１実施の形態の測距センサでは、
上記窓は、上記発光素子の発光点と上記発光側レンズの中心とを通る中心軸を有する筒形を成している。
【００１９】
この実施の形態によれば、上記筒形を成す窓における上記発光素子側の縁によって、上記発光側レンズからの放射光の全周囲に亙る広がりが遮光される。
【００２０】
また、１実施の形態の測距センサでは、
上記筒形は円筒形である。
【００２１】
この実施の形態によれば、上記円筒形を成す窓における上記発光素子側の縁によって、上記発光側レンズからの放射光の全周囲に亙る広がりが、効果的に遮光される。
【００２２】
また、１実施の形態の測距センサでは、
上記窓は、上記発光素子の発光点と上記発光側レンズの中心とを通る中心軸を有すると共に、上記中心軸と上記受光素子の中心とを含む平面に関して、上記中心軸から上記受光素子側の壁面までの距離が上記中心軸から反受光素子側の壁面までの距離よりも短い非対称形の断面形状を有している。
【００２３】
この実施の形態によれば、上記窓における上記中心軸から壁面までの距離が短い上記受光素子側であって上記発光素子側の縁によって、上記発光側レンズからの放射光の反受光素子側への広がりが、効果的に遮光される。
【００２４】
また、１実施の形態の測距センサでは、
上記窓は、上記発光素子の発光点と上記発光側レンズの中心とを通る中心軸を有すると共に、上記発光素子側から上記発光側レンズ側に向かって開いた漏斗状の形状を有している。
【００２５】
この実施の形態によれば、上記漏斗状を成す窓における上記発光素子側の縁によって、上記発光側レンズからの放射光の全周囲に亙る広がりが、効果的に遮光される。さらに、上記漏斗状を成す窓における上記発光側レンズ側寄りの内周壁で反射され迷光となる光量が少なくなって、上記発光側レンズ側寄りの内周壁での反射光による測距への悪影響が低減される。
【００２６】
また、１実施の形態の測距センサでは、
上記窓は、上記発光素子の発光点と上記発光側レンズの中心とを通る中心軸を有すると共に、少なくとも上記発光素子側に位置する小径部と上記発光側レンズ側に位置する大径部とを有する複数段の筒形を成している。
【００２７】
この実施の形態によれば、上記複数段の筒形を成す窓における上記小径部の縁により、上記発光側レンズからの放射光の全周囲に亙る広がりが遮光される。さらに、上記複数段の筒形を成す窓における上記大径部の縁側の内周壁での反射光が低減されて、上記大径部の縁側の内周壁での反射光による測距への悪影響が低減される。
【００２８】
また、１実施の形態の測距センサでは、
上記筒形は円筒形である。
【００２９】
この実施の形態によれば、上記複数段の円筒形を成す窓における上記小径部の縁によって、上記発光側レンズからの放射光の全周囲に亙る広がりが、効果的に遮光される。さらに、上記複数段の円筒形を成す窓における上記大径部の縁側の内周壁での反射光が低減されて、上記大径部の縁側の内周壁での反射光による測距への悪影響が低減される。
【００３０】
また、１実施の形態の測距センサでは、
上記窓は、
上記発光素子の発光点と上記発光側レンズの中心を通る中心軸を有する筒形の穴部と、
上記穴部の内壁面における上記発光素子側の縁に設けられて、上記中心軸と上記受光素子の中心とを含む平面に対して直交すると共に上記中心軸を含む平面に関して、上記受光素子側を部分的に遮光する遮光板と
を含んでいる。
【００３１】
この実施の形態によれば、上記窓を構成する筒形の穴部における上記遮光板が設けられた上記発光素子側の縁によって上記受光素子側が部分的に遮光されて、上記発光側レンズからの放射光の反受光素子側への広がりが、効果的に遮光される。
【００３２】
また、１実施の形態の測距センサでは、
上記遮光部は、上記発光側レンズの反発光素子側における上記放射光の広がり部分を遮光できる領域に配設された遮光部材で構成されている。
【００３３】
この実施の形態によれば、上記発光側レンズの反発光素子側に配設されて上記遮光部を構成する遮光部材によって、特に、上記発光側レンズの内部反射によって集光されない光に基づく上記発光側レンズからの放射光の広がりが、効果的に遮光される。
【００３４】
また、１実施の形態の測距センサでは、
上記遮光部材は、上記発光素子の発光点および上記発光側レンズの中心を通る光軸と上記受光素子の中心とを含む平面に対して直交すると共に上記光軸を含む平面に関して、反受光素子側にのみ配設されている。
【００３５】
この実施の形態によれば、上記遮光部材によって、上記発光側レンズからの放射光における上記発光素子の発光点と上記発光側レンズの中心とを通る光軸に対して反受光素子側への広がりが、効果的に遮光される。
【００３６】
また、１実施の形態の測距センサでは、
上記発光側レンズの反発光素子側に配設されたフィルターと、
上記フィルターを上記発光素子側から保持するフィルター保持部材と
を有し、
上記遮光部材は、上記フィルター保持部材に一端が取り付けられると共に、上記フィルターの内側に沿って延在している。
【００３７】
この実施の形態によれば、上記遮光部材は、上記フィルターの内側に沿って延在して配設されている。したがって、外観を損なわないように上記遮光部材を配設することができる。
【００３８】
また、１実施の形態の測距センサでは、
上記発光素子と上記発光側レンズとの間に配設された遮光部材と、この遮光部材における上記発光素子との対向部に設けられると共に、上記発光素子からの放射光を上記発光側レンズに導く窓とを含む遮光部を、さらに備えている。
【００３９】
この実施の形態によれば、特に、上記発光側レンズの内部反射によって集光されない光に基づく上記発光側レンズからの放射光の広がりに加えて、上記発光素子と上記発光側レンズとの間に配置された遮光部によって、上記発光素子の側面から放射されて上記発光素子が載置されているリードフレームの表面で反射された光に基づく上記発光側レンズからの放射光の広がりが、効果的に遮光される。
【００４０】
また、この発明の機器は、
請求項１に記載の測距センサを搭載したことを特徴としている。
【００４１】
上記構成によれば、上記測距センサによって、上記発光部内で発生した迷光に基づく上記発光側レンズからの放射光の広がりが遮光されて、本来は上記発光側レンズからの放射光の中央部に在るべき測距の対象物が、上記発光素子と上記発光側レンズとの配列方向に位置ずれを起したとしても、上記位置ずれに起因する誤測距が防止される。したがって、正確に計測された上記対象物までの距離に従って安定した動作を行うことが可能になる。
【発明の効果】
【００４２】
以上より明らかなように、この発明の測距センサは、発光素子と発光側レンズとの間および上記発光側レンズの反発光素子側のうちの少なくとも一方に配置された遮光部によって、上記発光素子および上記発光側レンズを含む発光部内で発生した迷光に基づく上記発光側レンズからの放射光の広がりを遮光するので、本来は上記発光側レンズからの放射光の中央部に在るべき測距の対象物が、上記発光素子と上記発光側レンズとの配列方向に位置ずれを起したとしても、上記発光側レンズからの放射光の広がり部分を無くして、上記位置ずれに起因する誤測距を防止することができる。
【００４３】
また、この発明の機器は、上記測距センサを搭載しているので、本来は上記発光側レンズからの放射光の中央部に在るべき測距の対象物が、上記発光素子と上記発光側レンズとの配列方向に位置ずれを起したとしても、上記位置ずれに起因する誤測距を防止できる。したがって、正確に計測された上記対象物までの距離に従って安定した動作を行うことが可能になる。
【発明を実施するための最良の形態】
【００４４】
以下、この発明を図示の実施の形態により詳細に説明する。
【００４５】
・第１実施の形態
図１は、本実施の形態の測距センサにおける基本構造を示す縦断面図である。図１に示すように、本測距センサは、リードフレーム１１上に発光チップ１２と受光チップ１３とＩＣ(集積回路)１４をマウントし、このリードフレーム１１と各チップ１２,１３とＩＣ１４とを、透明なエポキシ樹脂などの赤外透過樹脂または透明樹脂１５によって封止(１次モールド)する。その際に、発光チップ１２を含む発光部と受光チップ１３およびＩＣ１４を含む受光部とを個別に封止する。さらに、赤外透過樹脂または透明樹脂１５によって封止された発光部と受光部とを、並設された状態で一体に包み込むように黒色ＰＰＳ樹脂などの遮光樹脂１６で封止(２次モールド)する。こうして、遮光樹脂１６によって、上記受光部と上記発光部との間における光の遮断と外乱光の遮断とを行うのである。但し、遮光樹脂１６における発光チップ１２との対向部に窓１７を設ける一方、受光チップ１３との対向部に窓１８を設けて、発光チップ１２からの放射光および対象物からの反射光の光路を確保するようにしている。こうすることによって、受発光を支障無く行えるのである。
【００４６】
さらに、上記遮光樹脂１６の側面と前方とを、カーボン入りＡＢＳ樹脂などの遮光材で成型されたレンズケース２１で覆い、このレンズケース２１における遮光樹脂１６の窓１７との対向部には発光側レンズ１９を配置する一方、窓１８との対向部内側には受光側レンズ２０を配置している。さらに、レンズケース２１における発光側レンズ１９と受光側レンズ２０との間と遮光樹脂１６の前面との間には、レンズケース２１から遮光樹脂１６にかけて延在して、上記発光部と受光部とを分離すると共に、発光部から受光部への光を遮光する遮光板２２を配置している。
【００４７】
上記構成を有する測距センサは、上記ＩＣ１４によって構成される距離算出部を有しており、受光チップ１３を構成するＰＳＤ(Position Sensitive Photodetector：半導体位置検出素子)等の受光素子から出力される測距の対象物(以下、単に対象物と言う)からの反射光の入射位置を表す信号に基づいて、三角測距の原理を用いて上記対象物までの測距を検出するのである。
【００４８】
上述のような測距センサの構造において、上記発光チップ１２はチップ前面だけではなく、チップ側面からも発光する。その場合、チップ側面から放射された光は、発光チップ１２が搭載されているリードフレーム１１の表面を照射するため、リードフレーム１１の表面で照射光が反射されて光源となり得る。その結果、光源の範囲は、発光チップ１２だけではなく、リードフレーム１１の面も含んで広い範囲となる。そして、リードフレーム１１上の光源からの光も発光側レンズ１９によって集光されるため、放射光に広がりが発生することになる。
【００４９】
その場合は、図７に示すように、測距の対象物６が放射光の広がり部分５に在る場合には、放射光の広がりによる対象物６からの反射光が発生し、対象物６までの距離は放射光の中央部４に在る対象物６'までの距離と同じであるにも拘わらず、放射光の広がり部分５による対象物６からの反射光の受光素子８への入射位置９は、放射光の中央部４による対象物６''(対象物６'よりも近い位置に在る)からの反射光の場合と同じになる。その結果、出力(測距結果)が異なってしまう。
【００５０】
そこで、本実施の形態においては、上記放射光の広がりを防止するために、上述した如く、透明樹脂１５によって封止された発光部を遮光樹脂１６で包み込むように封止すると共に、遮光樹脂１６における発光チップ１２との対向部に窓１７を設けている。こうして、発光チップ１２の前面に放射光の広がりを防止する遮光部を設けて、発光側レンズ１９に入射する光源の範囲を狭めて放射光の広がりを抑制するのである。即ち、発光チップ１２だけではなく、リードフレーム１１の面も含んで広い範囲となった光源の範囲を狭めることになる。こうすることにより、発光チップ１２からの放射光の範囲が狭くなり、発光チップ１２と受光チップ１３との配列方向への対象物の位置ずれによって誤測距が生ずる範囲が狭くなるのである。以下、図２〜図６に従って、遮光樹脂１６に設ける窓１７の具体的形状について述べる。
【００５１】
図２は、図１に示す本測距センサにおける発光部の拡大図である。尚、図２(a)は図１に対応する縦断面図であり、図２(b)は図２(a)におけるＡ‐Ａ'矢視断面図である。図２においては、遮光樹脂１６における発光チップ１２との対向部に設ける窓１７の形状を、中心軸が発光チップ１２の発光点と発光側レンズ１９の中心とを通る円筒形とし、窓１７の断面の直径を、例えば発光チップ１２の外形が□０.３mmの場合には０.６mm程度にしている。こうすることによって、遮光樹脂１６に設けた窓１７の範囲を、発光チップ１２の側面から放射された光のリードフレーム１１での受光チップ１３側の反射光を含む反射光(迷光)全体が遮られる程度に狭くすることができる。
【００５２】
尚、図２に示す測距センサにおいては、窓１７を円筒形に成している。しかしながら、円筒形に限定されるものではなく、平面多角形や楕円などの筒形であれば差し支えない。
【００５３】
図３は、図１に示す本測距センサにおける発光部の図２とは異なる拡大図である。尚、図３(a)は図１に対応する縦断面図であり、図３(b)は図３(a)におけるＢ‐Ｂ'矢視断面図である。図３においては、遮光樹脂１６における発光チップ１２との対向部に設ける窓１７の形状を、中心軸が発光チップ１２の発光点と発光側レンズ１９の中心とを通る円筒における受光チップ１３側を埋め込んで、上記中心軸に平行な平面２３を有する形状に成している。つまり、窓１７は、上記中心軸と受光チップ１３の中心とを含む平面に関して、上記中心軸から受光チップ１３側の壁面までの距離が上記中心軸から反受光チップ１３側の壁面までの距離よりも短い非対称形の所謂Ｄカットの断面形状を有しているのである。この例では、発光チップ１２の外形が口０.３mmの場合には、発光チップ１２の側面から平面２３までの距離を０.３mmにし、円筒部分の直径は３mmにしている。こうすることにより、遮光樹脂１６に設けた窓１７を成す上記円筒における埋込部２４によって、発光チップ１２の側面から放射されてリードフレーム１１で反射された光のうちの受光チップ１３側での反射光を遮光することができ、図７における反射光の反受光素子８側に存在している広がり部分５側を効果的に無くすことが出来る。併せて、窓１７を成型する際のピンの太さが図２におけるピンより太く、成形し易い。
【００５４】
尚、図３に示す測距センサにおいては、窓１７を円筒の受光チップ１３側を埋め込んだ形状に成している。しかしながら、上記円筒に限定されるものではなく、受光チップ１３側を埋め込んだ平面多角形や楕円などの筒形であればよい。
【００５５】
図４は、図１に示す本測距センサにおける発光部の図２および図３とは異なる拡大図である。尚、図４(a)は図１に対応する縦断面図であり、図４(b)は図４(a)におけるＣ‐Ｃ'矢視断面図である。図４においては、上記遮光樹脂１６における発光チップ１２との対向部に設ける窓１７の形状を、中心軸が発光チップ１２の発光点と発光側レンズ１９の中心とを通ると共に、上記中心軸に沿って発光側レンズ１９に向かって開いた漏斗状に成している。こうすることにより、上記遮光樹脂１６に設けた漏斗状の窓１７を形成する薄肉部２５によって、発光チップ１２の側面から放射された光のリードフレーム１１での反射光を遮光することができる。
【００５６】
その際に、上記窓１７は、発光側レンズ１９に向かって開いた漏斗状を成している。したがって、窓１７が図２に示す円筒形である場合に比べ、発光チップ１２の前面に在る発光点からの放射光が窓１７の発光側レンズ１９側寄りの内周壁で反射され、迷光となる光量が少なくなって測距に悪影響を及ぼすことを防止することができるのである。
【００５７】
図５は、図１に示す本測距センサにおける発光部の他の拡大図である。尚、図５(a)は図１に対応する縦断面図であり、図５(b)は図５(a)におけるＤ‐Ｄ'矢視断面図である。図５においては、上記遮光樹脂１６における発光チップ１２との対向部に設ける窓１７の形状を、中心軸が発光チップ１２の発光点と発光側レンズ１９の中心とを通ると共に、発光チップ１２側に位置する小径部２６と発光側レンズ１９側に位置する大径部とを有する２段の円筒形を成している。こうすることにより、遮光樹脂１６に設けた２段の円筒形を成す窓１７の小径部２６によって、発光チップ１２の側面から放射された光のリードフレーム１１での反射光を遮光することができる。
【００５８】
その際に、窓１７は、発光側レンズ１９側が大径であり発光チップ１２側が小径である２段の円筒形を成している。したがって、発光側レンズ１９側が大径であるため、発光チップ１２の前面に在る発光点からの放射光が窓１７の発光側レンズ１９側寄りの内周壁で反射され、迷光となって測距に悪影響を及ぼすことを防止することができるのである。
【００５９】
尚、図５に示す測距センサにおいては、窓１７を小径部２６と大径部とを有する２段の円筒形としているが、小径部２６と大径部との間に中径部を設けて複数段の円筒形としても差し支えない。また、複数段の円筒形に限定されるものではなく、複数段の筒形であれば差し支えない。
【００６０】
図６は、図１に示す本測距センサにおける発光部の他の拡大図である。尚、図６(a)は図１に対応する縦断面図であり、図６(b)は図６(a)におけるＥ‐Ｅ'矢視断面図である。図６においては、上記遮光樹脂１６における発光チップ１２との対向部に設ける窓１７の形状を、中心軸が発光チップ１２の発光点と発光側レンズ１９の中心とを通る円筒の内壁面における受光チップ１３側であって発光チップ１２側の縁に遮光板２７を形成して、上記中心軸に平行な平面２８を形成している。こうすることにより、遮光樹脂１６に設けた窓１７を成す上記円筒内における遮光板２７によって、発光チップ１２の側面から放射された光のうちリードフレーム１１における受光チップ１３側での反射光を遮光することができるのである。勿論、発光側レンズ１９側の大径であるため、発光チップ１２の前面に在る発光点からの放射光が窓１７の発光側レンズ１９側寄りの内周壁で反射されて迷光となって測距に悪影響を及ばすことを防止することができる。
【００６１】
尚、図６に示す測距センサにおいては、窓１７を円筒の内壁面に遮光板２７を設けて形成している。しかしながら、上記円筒に限定されるものではなく、筒形であればよい。
【００６２】
以上のごとく、本実施の形態においては、上記リードフレーム１１に搭載された発光チップ１２を含む発光部の前に窓１７を設けた遮光樹脂１６で成る遮光部を設けて、リードフレーム１１からの反射光による放射光の広がり部分を遮光している。したがって、図７において、本来は放射光の中央部４に在るべき測距の対象物６が、発光チップ１と受光チップ８との配列方向への位置ずれを起こして放射光の中央部４から外れたとしても、放射光の広がり部分５は遮光されて存在しないため放射光の広がり部分５での対象物６からの反射光が受光チップ８に入射することがない。したがって、放射光に対する対象物の位置ずれによる誤測距を防止することができるのである。
【００６３】
ところで、上記実施の形態における図３および図６では、上記放射光の広がり部分のうち、窓１７の中心軸と受光チップ１３の中心とを含む平面に対して直交すると共に上記中心軸を含む平面に関して、反受光チップ１３側への広がり部分のみを遮光する場合について説明している。しかしながら、受光チップ１３側への広がり部分も遮光可能なように窓１７を構成しても一向に構わない。
【００６４】
・第２実施の形態
本実施の形態は、前面にフィルターが設置されている測距センサに関する。図８は、本実施の形態の測距センサにおける基本構造を示す縦断面図である。本測距センサは、図１に示す測距センサの前面を覆ってフィルター４５が形成されている。
【００６５】
図８において、リードフレーム３１,発光チップ３２,受光チップ３３,ＩＣ３４,赤外透過樹脂または透明樹脂３５,遮光樹脂３６,窓３７,窓３８,発光側レンズ３９,受光側レンズ４０,レンズケース４１および遮光板４２は、図１に示す測距センサにおけるリードフレーム１１,発光チップ１２,受光チップ１３,ＩＣ１４,赤外透過樹脂または透明樹脂１５,遮光樹脂１６,窓１７,窓１８,発光側レンズ１９,受光側レンズ２０,レンズケース２１および遮光板２２と同じである。
【００６６】
本実施の形態においては、レンズケース４１の両側部に両側部が固定されると共に、発光側レンズ３９および受光側レンズ４０よりも前方に延在しているフィルター保持部材４３を設ける。そして、フィルター保持部材４３の先端部に赤外光透過材で形成されたフィルター４５を取り付け保持することによって、発光側レンズ３９および受光側レンズ４０よりも前方の所定の位置にフィルター４５を配置するのである。さらに、上記フィルター４５とレンズケース４１との間には、フィルター４５からレンズケース４１にかけて延在して、発光側レンズ３９を含む発光部と受光側レンズ４０を含む受光部とを分離すると共に、発光部から受光部への光を遮光する遮光板４４を配置している。
【００６７】
この場合、図９に示すように、上記発光チップ３２の前面から放射された光が、発光側レンズ３９によって集光され、フィルター４５を通って対象物４８に向けて投光される。その際に、上記第１実施の形態の場合と同様に、リードフレーム３１表面での反射による迷光が発生して放射光が広がる。または、発光側レンズ３９の内部反射によって集光されない光によっても迷光が生じ放射光が広がる。その結果、フィルター４５を透過した後の放射光に、放射光の中央部４６と放射光の広がり部分４７とが生ずることになる。
【００６８】
したがって、本実施の形態の場合にも、上記第１実施の形態の場合と同様に、測距の対象物４８'に放射光の広がり部分４７のみが投光されることによって、本来の対象物４８に放射光の中央部４６が投光された場合とは異なって、対象物４８よりも近い位置に在る対象物４８''に放射光の中央部４６が投光された場合と同じ検出信号が受光チップ３３から出力され、誤測距となってしまう。
【００６９】
そこで、本実施の形態においては、上記フィルター保持部材４３における発光チップ３２および発光側レンズ３９を含む発光側の先端部であって、発光チップ３２の発光点および発光側レンズ３９の中心を通る光軸と受光チップ３３の中心とを含む平面に対して直交すると共に上記光軸を含む平面に関して、反受光チップ３３側に、放射光の広がり部４７を遮光する遮光部材４９をフィルター４５に沿って設けるのである。こうすることによって、発光側レンズ３９からの放射光の広がり部分のうち、特に発光側レンズ３９の中心に対して受光側レンズ４０とは反対側に生ずる放射光の広がり部分４７が遮光部材４９によって遮光される。したがって、図９において、本来、放射光の中央部４６に存在すべき測距の対象物４８が、発光チップ３２と受光チップ３３との配列方向における反受光チップ３３側へ位置ずれを起こしたとしても、放射光の広がり部分４７そのものが存在しないため対象物４８'からの反射光が無くなる。その結果、対象物４８の反受光チップ３３側へのずれによる誤測距を防止することができるのである。
【００７０】
以上のごとく、本実施の形態においては、上記レンズケース４１における発光側レンズ３９および受光側レンズ４０よりも前方にフィルター保持部材４３を設けて、このフィルター保持部材４３にフィルター４５を取り付け保持する。そして、フィルター保持部材４３における発光側の先端部に、放射光の広がり部４７を遮光する遮光部材４９を設けている。したがって、発光側レンズ３９からの放射光の広がり部分４７、特に、発光側レンズ３９の内部反射によって集光されない光の存在による放射光の広がりを、効果的に遮光することができるのである。
【００７１】
尚、上記第２実施の形態においては、上記発光側レンズ３９の中心に対して受光側レンズ４０と反対側に生ずる放射光の広がり部分４７を遮光する遮光部材４９のみを設けている。しかしながら、発光側レンズ３９の中心に対して受光側レンズ４０と同じ側に生ずる放射光の広がり部分を遮光する遮光部材を設けても一向に構わない。あるいは、放射光の広がり部分の総てを遮光可能なように遮光部材を設けることも可能である。
【００７２】
また、上記第２実施の形態においては、外観を損なわないように、フィルター４５の内側にフィルター４５に沿って遮光部材４９を設けている。しかしながら、この発明はこれに限定されるものではなく、発光側レンズ３９の反発光チップ３２側における上記放射光の広がり部分を遮光できる領域であれば、何処の場所に遮光部材４９を設けても差し支えない。
【００７３】
また、上記第１実施の形態においては、上記発光部における発光側レンズ１９と発光チップ１２との間にのみ上記遮光部を設けるようにし、上記第２実施の形態においては、さらに上記発光部における発光側レンズ３９の反発光チップ３２側にも上記遮光部を設けるようにしている。しかしながら、この発明は、これに限定されるものではなく、上記発光部における発光側レンズ１９,３９の反発光チップ１２,３２側にのみ上記遮光部を設けるようにしても一向に構わない。
【００７４】
・第３実施の形態
本実施の形態は、上記第１実施の形態および第２の実施の形態における測距センサを搭載した機器に関する。本実施の形態においては、上記機器の具体的例として洋式便器に取付けて使用する温水洗浄装置を挙げて説明する。勿論、人体等の対象物の有無や上記対象物までの距離の情報を必要とする機器であれば温水洗浄装置に限定されるものではない。
【００７５】
図１０は、本洋式便座の平面図である。図１０に示すように、洋式便座５１には、上記第１実施の形態あるいは上記第２実施の形態に記載の構造を有する測距センサ５２を内蔵した温水洗浄装置５８が取り付けられている。そして、図１０(a)に示すように、洋式便座５１の前に立った人体５３を検出して温水洗浄装置５８の便蓋や便座(図示せず)の開閉を自動的に行うようになっている。そして、図１０(b)に示すように、予め設定された所定距離よりも遠い位置であって光軸５４を外れた位置に障害物体５５のみが存在する場合には、上述したような放射光の広がり部分の光線５６の存在によって、障害物体５５を検出してしまう場合がある。
【００７６】
しかしながら、本実施の形態においては、上記第１,第２実施の形態に記載の測距センサ５２を使用しているため、放射光の広がり角度θを従来の測距センサよりも狭くでき、放射光の広がりの光線５７によって障害物体５５が検知され難くなる。したがって、不必要に便蓋が開閉するのを防止し、消費電力を節約できるのである。
【００７７】
尚、上述したように、本実施の形態においては、上記機器の具体的例として温水洗浄装置を挙げて説明したが、ＡＴＭ(自動現金受け払い機)や自動扉等の対象物の存在や距離の情報を必要とする機器であれば構わない。特に、空調が行われている店と外部環境とを仕切る自動扉の場合、本当に店に出入りする人のみを検知して扉を開閉するのが望ましく、店内で商品を見て回る人をも検知して扉を開閉してしまうと室内の空気が外部に不必要に逃げてしまいエネルギーロスとなって好ましくない。そこで、上記第１実施の形態あるいは上記第２実施の形態に記載の構造を有する測距センサを用いれば、扉の前に立った人(本当に出入したい人)のみを検知して扉を開閉することができるのである。
【００７８】
ところで、上記温水洗浄装置やＡＴＭや自動扉等の機器においては、上記測距センサ５２によって得られた人体５３までの距離が予め定められた所定距離以下になると便蓋を開く等の動作が開始(オン)する一方、上記所定値よりも大きくなると上記動作が終了(便蓋を閉める等：オフ)するようになっている。そして、上述したように、図７において、放射光の広がり部分のうち、発光チップ１の発光点および発光側レンズ３の中心を通る光軸と受光チップ７の中心とを含む平面に対して直交すると共に上記光軸を含む平面に関して、反受光チップ７側への広がり部分５に人体５３が居る場合には、測距センサ５２は、人体５３までの距離を、実際に人体５３が居る位置６までの距離よりも近い位置６''までの距離と判定する。これに対して、受光チップ７と同じ側への広がり部分に人体５３が居る場合には、測距センサ５２は、人体５３までの距離を、実際に人体５３が居る位置までの距離よりも遠いと判定することになる。
【００７９】
したがって、上記人体５３が、上記動作がオフする領域(オフ領域)におけるオンする領域(オン領域)との境界に近い位置に居る場合であって、反受光チップ側への広がり部分に居る場合には、人体５３は上記オフ領域に居るにも拘わらずオン領域に居ると誤判定されて、便蓋を開く等の誤動作が生じてしまう。これに対して、人体５３が、受光チップと同じ側への広がり部分に居る場合には、人体５３までの計測距離が実距離よりも遠くなるため人体５３がオン領域に居ると誤判定されることはない。
【００８０】
そこで、上記温水洗浄装置やＡＴＭや自動扉等の機器に搭載する測距センサ５２においては、上記放射光の広がり部分のうち、少なくとも、上記光軸と受光チップの中心とを含む平面に対して直交すると共に上記光軸を含む平面に関して、反受光チップ側への広がり部分を遮光する必要がある。勿論、さらに加えて受光チップと同じ側への広がり部分をも遮光したり、総ての広がり部分を遮光するように構成しても一向に構わない。
【図面の簡単な説明】
【００８１】
【図１】この発明の測距センサにおける縦断面図である。
【図２】図１における窓の形状を示す図である。
【図３】図２とは異なる窓の形状を示す図である。
【図４】図２および図３とは異なる窓の形状を示す図である。
【図５】図２〜図４とは異なる窓の形状を示す図である。
【図６】図２〜図５とは異なる窓の形状を示す図である。
【図７】対象物の位置ずれに起因する誤測距の説明図である。
【図８】図１とは異なる測距センサにおける縦断面図である。
【図９】図８に示す測距センサによる効果の説明図である。
【図１０】図１および図８に示す測距センサを搭載した機器を示す図である。
【符号の説明】
【００８２】
１１,３１…リードフレーム、
１２,３２…発光チップ、
１３,３３…受光チップ、
１５,３５…赤外透過樹脂または透明樹脂、
１６,３６…遮光樹脂、
１７,１８,３７,３８…窓、
１９,３９…発光側レンズ、
２０,４０…受光側レンズ、
２１,４１…レンズケース、
２２,２７,４２,４４…遮光板、
２５…薄肉部、
２６…小径部、
４３…フィルター保持部材、
４５…フィルター、
４６…放射光の中央部、
４７…放射光の広がり部分、
４８,４８',４８''…対象物、
４９…遮光部材、
５１…洋式便座、
５２…測距センサ、
５３…人体、
５５…障害物体、
５６,５７…放射光の広がり部分の光線、
５８…温水洗浄装置。
【図１】
2006153730.tif 000003
【図２】
2006153730.tif 000004
【図３】
2006153730.tif 000005
【図４】
2006153730.tif 000006
【図５】
2006153730.tif 000007
【図６】
2006153730.tif 000008
【図７】
2006153730.tif 000009
【図８】
2006153730.tif 000010
【図９】
2006153730.tif 000011
【図１０】
2006153730.tif 000012